(57)【要約】【課題】ホースの径を大きくできると共に、コンパクトに梱包でき、しかも操作性に優れた手元側パイプおよびそれを備えた電気掃除機を提供する。【解決手段】手元側パイプ４は、パイプ部４１と、パイプ部４１に斜めに交差すると共に、スイッチ１４を有する把手部４２を備えている。パイプ部４１の一端に延長管が連結可能である一方、パイプ部４１の他端に、ホース３が挿入可能となっている。パイプ部４１と把手部４２とが交差する交差領域には、スイッチ１４とホース３のレール６とを電気的に接続する接続部１０を配置している。【選択図】図２
2006158838.tif 000002
【特許請求の範囲】
【請求項１】
一端に延長管が連結可能である一方、他端に、ホース側電気接続部付きホースが挿入可能なパイプ部と、
上記パイプ部に斜め方向に交差すると共に、操作部を有する把手部と、
上記パイプ部と上記把手部とが交差する交差領域に設けられ、上記操作部と上記ホースのホース側電気接続部とを電気的に接続する手元側電気接続部と
を備えたことを特徴とする手元側パイプ。
【請求項２】
請求項１に記載の手元側パイプにおいて、
上記パイプ部は直管状であることを特徴とする手元側パイプ。
【請求項３】
吸引ファンと、この吸引ファンを駆動するモータと、上記吸引ファンの駆動により吸引された空気が通る吸引口と、ごみを吸い込むごみ吸込口とを有する掃除機本体と、
上記吸引口と上記ごみ吸込口との間に一連に連結された延長管、請求項１に記載の手元側パイプおよびホースと
を備えたことを特徴とするスティック型電気掃除機。
【発明の詳細な説明】
【技術分野】
【０００１】
本発明は手元側パイプおよびそれを備えたスティック型電気掃除機に関する。
【背景技術】
【０００２】
従来、電気掃除機としては、特許文献１（特開平１０−１７９４７５号公報）に開示されたものがある。この電気掃除機は、図４に示すように、吸引力を生み出す電動送風機１１１を内蔵した掃除機本体１０１と、この掃除機本体１０１の吸引口に接続された高剛性の本体側パイプ１０２と、この本体側パイプ１０２に一方の端部が接続された可撓性のホース１０３と、このホース１０３の他方の端部に接続された高剛性の手元側パイプ１０４とを備えている。
【０００３】
上記ホース１０３には、図５に示すように、４本の導電線１０５が埋設されている。そして、上記ホース１０３の他方の端部における外周面には、所定の間隔をあけて４つのリング状のレール１０６が設けられている。このレール１０６は、延長部１０７を介して導電線１０５に電気的に接続している。この延長部１０７と導電線１０５とが接続している箇所は高剛性のホースカバー１０８で覆われて保護されている。
【０００４】
上記手元側パイプ１０４は、くの字状に屈曲したパイプ部１４１と、このパイプ部１４１に交差すると共に、使用者が握る把手部１４２と、パイプ部１４１よりも掃除機本体１０１側でホース１０３の他方の端部に取り付けられたホースカバー１０８とを有している。
【０００５】
上記パイプ部１４１にはホース１０３の他方の端部が回転自在に挿入されている。そして、上記パイプ部１４１はレール１０６に摺動可能な接続部１１０を有している。上記接続部１１０は、パイプ部１４１のホース１０３側の端部における内壁に設けられて、ホース１０３と把手部１４２との間に位置している。この接続部１１０を介して把手部１４２のスイッチによる電気信号が掃除機本体１０１へ送られる。
【０００６】
上記把手部１４２には、電動送風機１１１の吸引量を制御するスイッチ（図示せず）が設けられている。
【０００７】
なお、図４中において、１１２は延長管であり、１１３はごみ吸込口である。
【０００８】
ところで、最近、電気掃除機では、ホース１０３の吸い込み抵抗を小さくするため、ホース１０３の大径化が望まれている。特に、アップライト型（スティック型）の電気掃除機では吸い込み効率の向上が望まれている。
【０００９】
しかしながら、上記把手部１４２とパイプ部１４１との間の空間Ｓ’は使用者が余裕を持って指を挿入できる程度の大きさにする必要があるので、ホース１０３の径を大きくできないという問題がある。
【００１０】
また、上記手元側パイプ１０４は、高剛性のパイプ部１４１に連なる高剛性のホースカバー１０８を有しているから、寸法が長くなって、コンパクトに梱包できないという問題がある。
【００１１】
また、上記空間Ｓ’を確保するため、図４に示すように、パイプ部１４１をくの字状に屈曲させているので、手元側パイプ１０４の操作性が悪いという問題がある。
【特許文献１】特開平１０−１７９４７５号公報
【発明の開示】
【発明が解決しようとする課題】
【００１２】
そこで、本発明の課題は、ホースの径を大きくできると共に、コンパクトに梱包でき、しかも操作性に優れた手元側パイプおよびそれを備えたスティック型電気掃除機を提供することにある。
【課題を解決するための手段】
【００１３】
上記課題を解決するため、第１の発明の手元側パイプは、
一端に延長管が連結可能である一方、他端に、ホース側電気接続部付きホースが挿入可能なパイプ部と、
上記パイプ部に交差すると共に、操作部を有する把手部と、
上記パイプ部と上記把手部とが交差する交差領域に設けられ、上記操作部と上記ホースのホース側電気接続部とを電気的に接続する手元側電気接続部と
を備えたことを特徴としている。
【００１４】
上記構成の手元側パイプによれば、上記操作部とホースのホース側電気接続部とを電気的に接続する手元側電気接続部を、パイプ部と把手部とが交差する交差領域に設けることにより、パイプ部と把手部との間の空間を大きく取ることができる。したがって、上記パイプ部の端部と把手部との間の空間を、使用者が余裕を持って指を挿入できる程度の大きさにしつつ、パイプ部の他端に挿入するホースの径を大きくすることができる。
【００１５】
また、上記パイプ部と把手部とが交差する交差領域にホース側電気接続部を挿入することによって、ホース側電気接続部がパイプ部で覆われるので、図５に示したようなホースカバーは不要である。したがって、上記手元側パイプは、寸法をホースカバー分短く、コンパクトに梱包することができる。
【００１６】
一実施形態の手元側パイプでは、上記パイプ部は直管状である。
【００１７】
上記実施の形態の手元側パイプによれば、上記パイプ部を直管状にすることにより、操作性を向上させることができる。
【００１８】
第２の発明のスティック型電気掃除機は、
吸引ファンと、この吸引ファンを駆動するモータと、上記吸引ファンの駆動により吸引された空気が通る吸引口と、ごみを吸い込むごみ吸込口とを有する掃除機本体と、
上記吸引口と上記ごみ吸込口との間に一連に連結された延長管、上記第１の発明の手元側パイプおよびホースと
を備えたことを特徴としている。
【００１９】
上記構成のスティック型電気掃除機によれば、上記延長管、第１の発明の手元側パイプおよびホースを吸引口とごみ吸込口との間に一連に連結することによって、ホースの径を大きくできるから、吸い込み抵抗を小さくできる。したがって、上記スティック型電気掃除機の吸い込み効率を向上できる。
【発明の効果】
【００２０】
第１の発明の手元側パイプは、操作部とホースのホース側電気接続部とを電気的に接続する手元側電気接続部を、パイプ部と把手部とが交差する交差領域に設けることによって、パイプ部と把手部との間の空間を大きく取ることができるので、パイプ部の端部と把手部との間の空間を、使用者が余裕を持って指を挿入できる程度の大きさにしつつ、パイプ部の他端に挿入するホースの径を大きくすることができる。
【００２１】
また、上記パイプ部と把手部とが交差する交差領域にホース側電気接続部を挿入することによって、ホース側電気接続部がパイプ部で覆われるので、図５で示したようなホースカバーは不要である。したがって、上記手元側パイプは、寸法をホースカバー分短く、コンパクトに梱包することができる。
【００２２】
第２の発明のスティック型電気掃除機は、延長管、第１の発明の手元側パイプおよびホースを手元側パイプを吸引口とごみ吸込口との間に一連に連結することによって、ホースの径を大きくできるから、吸い込み抵抗を小さくできる。したがって、上記スティック型電気掃除機の吸い込み効率を向上できる。
【発明を実施するための最良の形態】
【００２３】
以下、本発明の手元側パイプを図示の実施の形態により詳細に説明する。
【００２４】
（第１実施形態）
図１に、本発明の第１実施形態の手元側パイプ４を備えたキャニスタ型電気掃除機の要部の概略側面図を示す。
【００２５】
上記電気掃除機は、図１に示すように、吸引口を有する掃除機本体１と、この掃除機本体１の吸引口に接続された高剛性の本体側パイプ２と、この本体側パイプ２に一方の端部が接続された可撓性のホース３と、このホース３の他方の端部に接続された高剛性の手元側パイプ４とを備えている。また、上記手元側パイプ４の先端部（ホース３とは反対側の端部）には延長管１２が連結され、この延長管１２の先端部（手元側パイプ４とは反対側の端）にはごみ吸込口１３が連結されている。上記本体側パイプ２および手元側パイプ４はホース３と一体になっている。
【００２６】
上記掃除機本体１は、吸引力を生み出す電動送風機１１を内蔵している。この電動送風機１１は、図示しないが、吸引ファンと、この吸引ファンを駆動するモータとを持っている。上記吸引ファンの駆動により、塵や埃等のごみがごみ吸込口１３内に吸い込まれ、そのごみは延長管１２、手元側パイプ４およびホース３を順次通って、吸引口から掃除機本体１内に入る。
【００２７】
上記ホース３は、図２示すように、３本の導電線５を有している。上記各導電線５は、大部分がホース３に埋設され、手元側パイプ４側の端部が露出している。また、上記ホース３の他方の端部（ホース３の手元側パイプ４側の端部）における外周面には、所定の間隔をあけて３つのリング状のレール６を取り付けている。また、上記ホース３の他方の端部における外周面には、レール６よりも延長管１２に位置するリング状の溝１５が設けられている。このレール６は、延長部７を介して導電線５の露出している端部に電気的に接続している。なお、上記レール６はホース側電気接続部の一例である。
【００２８】
上記手元側パイプ４は、直管状のパイプ部４１と、このパイプ部４１の軸方向の中央部に斜め方向に交差する把手部４２と、パイプ部４１と把手部４２とが交差する交差領域における把手部４２側の部分に配置された接続部１０とを有している。なお、上記接続部１０は手元側電気接続部の一例である。
【００２９】
上記パイプ部４１のホース３側の端部にはホース３の他方の端部が回転自在に挿入されている。そして、上記パイプ部４１のホース３側の端部と把手部４２との間の空間Ｓは、使用者が余裕を持って指を挿入できる程度の大きさに設定されている。
【００３０】
上記把手部４２は、ごみ吸込口１３や電動送風機１１を制御するためのスイッチ１４を持っている。このスイッチ１４による電気信号は、接続部１０、レール６、延長部７および導電線５を介して、掃除機本体１へ送られる。なお、上記スイッチ１４は操作部の一例である。
【００３１】
上記接続部１０は、樹脂製の基部２０と、この基部２０に取り付けられた金属製の接触部２１とを有している。この接触部２１は、スイッチ１４に電気的に接続していると共に、レール６に摺動可能に接触している。また、上記基部２０の一部２２は、ホース３に向かって突出して、ホース３の溝１５に対して摺動可能に嵌合している。これにより、上記手元側パイプ４からホース３が抜けるのを防ぐことができる。つまり、上記基部２０の一部２２はホース３の抜け止めとなっている。
【００３２】
上記構成の電気掃除機によれば、上記パイプ部４１と把手部４２との交差領域に接続部１０を配置することによって、図４の電気掃除機に比べて、パイプ部４１と把手部４２との間の空間Ｓを大きくすることができる。したがって、上記空間の大きさを、使用者が余裕を持って指を挿入できる程度に設定しつつ、パイプ部４１の他端に挿入するホース３の径を大きくすることができる。具体的には、上記交差領域に接続部１０に配置しない場合は、ホース３の直径は最大で４２ｍｍにしかできないが、上記交差領域に接続部１０を配置した場合、ホース３の直径は最大で５１ｍｍにすることができる。
【００３３】
また、上記パイプ部４１と把手部４２とが交差する交差領域にホース３の他方の端部を挿入することによって、その端部に設けられたレール６がパイプ部４１で覆われるので、図５で示したようなホースカバーは不要である。したがって、上記手元側パイプ４は、寸法をそのホースカバー分短く、コンパクトに梱包することができる。
【００３４】
また、上記パイプ部４１が直管状であるから、使用者は意図する方向へ容易に手元側パイプ４を動かすことできる。すなわち、上記手元側パイプ４の操作性は良好である。
【００３５】
また、上記ホース３の径を大きくできるから、吸い込み抵抗を小さくできる。したがって、上記電気掃除機の吸い込み効率を向上できる。
【００３６】
上記第１実施形態の掃除機本体１は、紙パック式のものであっても、サイクロン式のものであってもよい。
【００３７】
（第２実施形態）
図３に、本発明の第２実施形態の手元側パイプ２０４を備えたスティック型電気掃除機の概略側面図を示す。
【００３８】
上記電気掃除機は、掃除機本体２０１、延長管２１２、手元側パイプ２０４およびホース２０３を備えている。
【００３９】
上記掃除機本体２０１は、吸引ファン２１６と、この吸引ファン２１６を駆動するモータ２１７と、吸引ファン２１６の駆動により吸引された空気が通る吸引口２１８と、ごみを吸い込むごみ吸込口２１３とを有している。上記吸引ファン２１６とモータ２１７とは電動送風機２１１を構成している。
【００４０】
上記延長管２１２は、掃除機本体２０１に対して抜き差し自在に設けられている。上記延長管２１２を掃除機本体２０１に差し込んでいる場合、床や畳等の低所にあるごみをごみ吸込口２１３から掃除機本体２０１内に吸い込むことができる。そして、上記延長管２１２を掃除機本体２０１を抜いた場合、棚等の高所のごみを延長管２１２の先端から掃除機本体２０１内に吸い込むことができる。
【００４１】
この手元側パイプ２０４は、上記第１実施形態の手元側パイプ４と同様の構成を有している。つまり、上記手元側パイプ２０４は、直管状のパイプ部２４１、把手部２４２および接続部２１０を有している。上記パイプ部２４１の一方の端部には延長管２１２が連結されている一方、パイプ部２４１の他方の端部にはホース２０３の端部が回転自在に挿入されている。また、上記把手部２４２は、パイプ部２４１に斜め方向に交差している。また、上記把手部２４２は、ごみ吸込口２１３や電動送風機２１１を制御するためのスイッチ２１４を持っている。このスイッチ２１４は接続部２１０に電気的に接続されている。また、上記接続部２１０は、パイプ部２４１と把手部２４２とが交差する交差領域に設けられている。なお、上記接続部２１０は手元側電気接続部の一例であり、スイッチ２１４は操作部の一例である。
【００４２】
上記ホース２０３は、上記第１実施形態のホース３と同様の構成を有している。つまり、上記ホース２０３の手元側パイプ２０４側の端部には、接続部２１０が摺動する複数のレール（図示せず）が設けられている。なお、上記レールは手元側電気接続部の一例である。
【００４３】
上記構成の電気掃除機によれば、上記パイプ部２４１と把手部２４２との交差領域に接続部２１０を配置することによって、図４の電気掃除機に比べて、パイプ部２４１と把手部２４２との間の空間を大きくすることができる。したがって、上記空間の大きさを、使用者が余裕を持って指を挿入できる程度に設定しつつ、パイプ部２４１の他端に挿入するホース３の径を大きくすることができる。
【００４４】
また、上記パイプ部２４１と把手部２４２とが交差する交差領域にホース２０３の端部を挿入することによって、その端部に設けられたレールがパイプ部２４１で覆われるので、図５で示したようなホースカバーは不要である。したがって、上記手元側パイプ２０４は、寸法をそのホースカバー分短く、コンパクトに梱包することができる。
【００４５】
また、上記パイプ部２４１が直管状であるから、使用者は意図する方向へ容易に手元側パイプ２０４を動かすことできる。すなわち、上記手元側パイプ２０４の操作性は良好である。
【００４６】
また、上記ホース２０３の径を大きくできるから、吸い込み抵抗を小さくできる。したがって、上記電気掃除機の吸い込み効率を向上できる。
【００４７】
上記第２実施形態の掃除機本体２０１は、紙パック式のものであっても、サイクロン式のものであってもよい。
【図面の簡単な説明】
【００４８】
【図１】図１は本発明の第１実施形態のキャニスタ型電気掃除機の概略側面図である。
【図２】図２は本発明の上記第１実施形態のキャニスタ型電気掃除機の要部の概略断面図である。
【図３】図３は本発明の第２実施形態のスティック型電気掃除機の概略側面図である。
【図４】図４は従来の電気掃除機の概略側面図である。
【図５】図５は上記従来の電気掃除機の要部の概略断面図である。
【符号の説明】
【００４９】
１，２０１  掃除機本体
２  本体側パイプ
３，２０３  ホース
４，２０４  手元側パイプ
１０，２１０  接続部
１１，２１１  電動送風機
１２，２１２  延長管
１３，２１３  ごみ吸込口
１４，２１４  スイッチ
４１，２４１  パイプ部
４２，２４２  把手部
２１６  吸引ファン
２１７  モータ
２１８  吸引口
【図１】
2006158838.tif 000003
【図２】
2006158838.tif 000004
【図３】
2006158838.tif 000005
【図４】
2006158838.tif 000006
【図５】
2006158838.tif 000007